(57)【要約】【課題】温風供給手段で槽乾燥を行う場合に、洗剤分が残留することを防止し、槽内を清潔に保つことのできる洗濯機の運転制御方法を得る。【解決手段】外箱と、この外箱内に配設する水槽と、該水槽内に回転自在に配設され多数の脱水孔を穿設した洗濯兼脱水槽と、該洗濯兼脱水槽の上面側から洗濯兼脱水槽内に温風を供給する送風ファンおよびヒータとからなる温風供給手段と、洗濯兼脱水槽の上方にミスト供給装置を設けた洗濯機において、槽洗浄行程とこれに続く槽乾燥行程とを設定した。【選択図】        図１
2004222761.tif 000002
【特許請求の範囲】
【請求項１】
外箱と、この外箱内に配設する水槽と、該水槽内に回転自在に配設され多数の脱水孔を穿設した洗濯兼脱水槽と、該洗濯兼脱水槽の上面側から洗濯兼脱水槽内に温風を供給する送風ファンおよびヒータとからなる温風供給手段を設けた洗濯機において、槽洗浄行程とこれに続く槽乾燥行程とを連続的に行うよう設定したことを特徴とする洗濯乾燥機の運転制御方法。
【請求項２】
前記槽洗浄行程を洗濯兼脱水槽の上方に設けたミスト供給装置からのミスト給水により行うことを特徴とする請求項１記載の洗濯乾燥機の運転制御方法。
【請求項３】
洗濯兼脱水槽への給水の一部が、洗濯兼脱水槽の上部に配設されるバランサ上部にかかることを特徴とする請求項１または請求項２に記載の洗濯乾燥機の運転制御方法。
【発明の詳細な説明】
【０００１】
【発明の属する技術分野】
本発明は、洗濯乾燥機の運転制御方法に関するものである。
【０００２】
【従来の技術】
例えば、一槽式の全自動洗濯機は、外箱内に防振装置を介して水槽を搖動自在に吊支し、該水槽内に底部に回転翼を設けた洗濯兼脱水槽を回転自在に配設するものであり、水槽の上方位置にトップカバーを取り付けて、該トップカバーに蓋を開閉自在に取り付けてある。
【０００３】
トップカバーに設けた給水口に連通させて給水ケースを配設するとともに、洗濯兼脱水槽の上方に位置させてトップカバーの内部に設けた前記給水ケースの下部にミスト供給装置を設ける。このミスト供給装置は、給水ケースに供給される水をさらに導入するもので、ホースに接続されるノズルケースの下部にノズルを装着した。
【０００４】
そして、洗い行程の最初の洗剤溶かし行程では、ミスト供給装置に水道水を供給し、この水をノズルで霧状にして洗濯兼脱水槽内の洗濯物に吹き付けるミスト給水を行う（例えば、特許文献１参照）。
【０００５】
【特許文献１】
特開平２００２−０１８１８７号公報
【０００６】
【発明が解決しようとする課題】
洗濯兼脱水槽内を清潔に保つために、洗濯兼脱水槽内に温風を供給する送風ファンおよびヒータとからなる温風供給手段を設け、この温風供給手段を、例えば洗濯終了後などに作動して水槽や洗濯兼脱水槽内に温風を供給し、槽に残留付着している水分を蒸発させて槽乾燥を行うものがあるが、槽乾燥時に前回の洗濯行程での洗剤分が槽に付着していると、水分だけが蒸発して洗剤分は槽にこびりついてしまい、徐々に槽内が汚れてカビ発生の原因ともなる。
【０００７】
本発明の目的は前記従来例の不都合を解消し、温風供給手段で槽乾燥を行う場合に、洗剤分が残留することを防止し、槽内を清潔に保つことのできる洗濯機の運転制御方法を提供することにある。
【０００８】
【課題を解決するための手段】
本発明は前記目的を達成するため、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に温風を供給する送風ファンおよびヒータとからなる温風供給手段と、洗濯兼脱水槽の上方にミスト供給装置を設けた洗濯機において、槽洗浄行程とこれに続く槽乾燥行程とを設定した。
【０００９】
これにより、温風供給手段による槽乾燥行程の前に給水による槽洗浄を行うことで、洗剤分の残留付着量を減らすことができ、従来に比較して槽内を清潔に保つことができる。
【００１０】
【発明の実施の形態】
以下、図面について本発明の実施の形態を詳細に説明する。図１は本発明の運転制御方法が実施される洗濯機の全体説明図で、図示した例は洗濯行程の後に洗濯物を乾燥させる乾燥行程が設定されている洗濯乾燥機であり、この洗濯乾燥機の全体構成から説明すると、外箱１内に水槽２を搖動自在に配設し、該水槽２内に底部に回転翼３を配設するとともに周壁に多数の脱水孔５を穿設した洗濯兼脱水槽４を設けた。
【００１１】
図中６は洗濯兼脱水槽４の上部に取り付けたバランサ、７は洗濯兼脱水槽４や回転翼３を回転させるためのモータを示す。また、前記外箱１の上部の開口にフタ８を備えたトップパネル９を取り付ける。
【００１２】
かかる構成に加えて、洗濯兼脱水槽４内の衣類を乾燥させるための手段を設ける。温風の供給手段としては、外箱１の側部にフィルター１０を備えた吸気口１１を設け、該吸気口１１の下流側に位置させて外箱１内で水槽２との間にダクト１４を設け、該ダクト１４内に送風ファン１２および加熱手段としてのヒータ１３を順次配設した。図中１５は洗濯兼脱水槽４内に霧状の水（ミスト）を供給するミスト供給装置のミストノズルを示す。また、図示は省略するが、このミスト供給装置の上方位置に従来と同様に給水ケースを配設する。
【００１３】
温風の排出手段としては、水槽２の上部開口に内フタ１６を設け、該内フタ１６にフィルター１７を備えた排出口１８を形成する。そして、該排出口１８の上方位置でトップパネル９に排気口１９を設ける。
【００１４】
そして、サーミスタなどを利用する吸気温度センサ２０を前記フィルター１０と送風ファン１２との間に設け、排気温度センサ２１を水槽２の上部内側に取り付けられるの水槽カバー２ａの下面に取り付ける。
【００１５】
かかる洗濯乾燥機において、洗濯行程では、回転翼３の回転による洗い行程、すすぎ行程、回転翼３と洗濯兼脱水槽４とを高速回転させる脱水行程とが順次自動的に進行し、最後に乾燥行程が実施される。
【００１６】
洗濯乾燥機においては上記のような、通常の洗濯，乾燥行程とは別にメニューボタンなどにより槽乾燥コースを設定し、槽乾燥を実施するが、この槽乾燥に先行して槽洗浄を行う。この槽洗浄は、ミスト供給装置を使用しミストノズル１５から洗濯兼脱水槽４内にミストを噴射する。これにより、洗濯行程が終了して洗濯兼脱水槽４内に付着している洗剤分が洗い流される。また、この槽洗浄はミストによるから少ない使用水量で効率よく洗浄できる。
【００１７】
その後、この槽洗浄に続けてヒータ１３に通電し送風ファン１２を動作させて洗濯兼脱水槽４内に温風を供給し、槽内を乾燥させる。この時点で、先行する槽洗浄により洗剤分が除去されているから、槽乾燥により水分を蒸発させても洗剤分が残って槽にこびりつくことがなく、槽内を清潔に保てる。
【００１８】
また、バランサ６の上面や内側も飛散する洗濯水が付着する箇所であるが、この部分についても、給水ケースからの給水のときやミスト供給装置からのミスト給水のときに、水やミストがかかるようにしておけば、槽洗浄のときに同時にバランサ６の洗浄も行える。
【００１９】
【発明の効果】
以上述べたように本発明の洗濯機の運転制御方法は、外箱と、この外箱内に配設する水槽と、該水槽内に回転自在に配設され多数の脱水孔を穿設した洗濯兼脱水槽と、該洗濯兼脱水槽の上面側から洗濯兼脱水槽内に温風を供給する送風ファンおよびヒータとからなる温風供給手段を設けた洗濯乾燥機において、槽洗浄行程とこれに続く槽乾燥行程とを連続的に行うよう設定した。
【００２０】
これにより、温風供給手段による槽乾燥行程の前に給水による槽洗浄を行うことで、洗剤分の残留付着量を減らすことができ、従来に比較して槽内を清潔に保つことができる。
【図面の簡単な説明】
【図１】本発明の運転制御方法が実施される洗濯乾燥機の説明図である。
【符号の説明】
１…外箱            ２…水槽            ２ａ…水槽カバー
３…回転翼          ４…洗濯兼脱水槽    ５…脱水孔
６…バランサ        ７…モータ          ８…フタ
９…トップパネル    １０…フィルター    １１…吸気口
１２…送風ファン    １３…ヒータ        １４…ダクト
１５…ミストノズル  １６…内フタ        １７…フィルター
１８…排出口        １９…排気口        ２０…吸気温度センサ
２１…排気温度センサ
【図１】
2004222761.tif 000003